(57)【要約】【課題】熱伝導度が高く、平滑性に優れたアルミニウム薄層を皮膚に押し当てることにより、貼り付けた部分の痛みを緩和したり血流が良好になる人体用貼着シートを提供する。【解決手段】本考案の人体用貼着シート１は、複数の樹脂シートを重合してなる基材３の片面に、ホログラム及びポリエステルフィルムからなる表面層２を設け、前記基材３の他の面にアルミニウム薄層４を設けたことを特徴とする。【選択図】図１
0003177144.tif 000002
【実用新案登録請求の範囲】
【請求項１】
複数の樹脂シートを重合してなる基材の片面に、ホログラム及びポリエステルフィルムからなる表面層を設け、前記基材の他の面にアルミニウム薄層を設けたことを特徴とする人体用貼着シート。
【請求項２】
基材は、ヘアライン加工を施したポリエステルフィルムを含むことを特徴とする請求項１に記載の人体用貼着シート。
【請求項３】
アルミニウム薄層は、厚みが０．２ｍｍ〜５μｍのアルミニウム箔であることを特徴とする請求項１又は２に記載の人体用貼着シート。
【考案の詳細な説明】
【技術分野】
【０００１】
本考案は、熱伝導度が高く、平滑性に優れたアルミニウム薄層を皮膚に押し当てることによって、貼り付けた部分の痛みを緩和したり血流が良好になる人体用貼着シートに関する。
【背景技術】
【０００２】
皮膚に貼り付けることにより、患部の痛みを和らげたり、或いは血行等を良好にすることを目的として、例えば特許文献１や特許文献２等に記載の貼り付け用シートが提案されている。
特許文献１には、裏面が光沢面に形成された光沢アルミニウム箔の両面に表裏布状体を積層一体化した構成の貼着シートが提案され、その効用として、身体から発せられている熱や赤外線を光沢アルミニウム箔により外部に放散することを阻止すると共に反射させて身体部位を温めることができることが記載されている。
特許文献２には、金色又は銀色に加工された金色体又は銀色体を人体の経絡上に配置することにより、人体の治療を行う治療用品が記載されている。なお、この特許文献２における金色体又は銀色体は、磁気を発生する金属が望ましく、筋肉の疲労や痛みの緩和又は解消できることが記載されている。
【先行技術文献】
【特許文献】
【０００３】
【特許文献１】特開２００３−１７５０６９号公報
【特許文献２】特開２００５−８７４９６号公報
【考案の概要】
【考案が解決しようとする課題】
【０００４】
しかしながら、前記特許文献１では、皮膚と接触しているのは布状体であるため、身体から発生する熱を光沢アルミニウム箔によって阻止することにより、確かに当初は発汗し易い状態となると推察されるが、発せられた汗が裏面側に配した布状体に染みこんで気化する際に熱を奪うことが容易に推察されるため、所定の温め効果は到底継続しないことが予測される。
また、前記特許文献２は、所謂磁気治療を期待するものであって、特殊な金属によって金色体又は銀色体を構成しない場合には、所定の効果が得られないことが予測される。
【０００５】
そこで、本考案は、熱伝導度が高く、平滑性に優れたアルミニウム薄層を皮膚に押し当てることによって、貼り付けた部分の痛みを和らげたり血流が良好になる人体用貼着シートを提案することを目的とする。
【課題を解決するための手段】
【０００６】
本考案は、上記に鑑み提案されたもので、複数の樹脂シートを重合してなる基材の片面に、ホログラム及びポリエステルフィルムからなる表面層を設け、前記基材の他の面にアルミニウム薄層を設けたことを特徴とする人体用貼着シートに関するものである。
【０００７】
また、本考案は、基材がヘアライン加工を施したポリエステルフィルムを含むことを特徴とする人体用貼着シートをも提案する。
【０００８】
また、本考案は、アルミニウム薄層が、厚みが０．２ｍｍ〜５μｍのアルミニウム箔であることを特徴とする人体用貼着シートをも提案する。
【０００９】
本考案の人体用貼着シートは、皮膚の表面に貼り付けるだけで、冷却感を皮膚に与えることができ、しかも冷却感が継続的に意識されるため、火傷や外傷、筋肉疲労といった原因で生じている痛みを和らげたり血流を良好にすることができる。
【考案の効果】
【００１０】
本考案の人体用貼着シートは、アルミニウム薄層を皮膚に接触するように貼着することにより、熱伝導度が高いアルミニウム薄層が、皮膚にとっては冷たく感じられる。また、アルミニウム薄層は、平滑性が高く、皮膚より硬く、伸長しないため、前述の貼着感が継続的に意識される。更に、アルミニウム薄層は、衣服や空気との接触を防止するため、皮膚への外的刺激を阻止する。これらの作用の相乗効果により、痛みが緩和される効果が期待される。
また、複数の樹脂シートを重合してなる基材は、前記アルミニウム薄層だけでは特に端縁が皮膚に当たってケガの原因となってしまうが、この基材が適度な厚みを与えてバッド状とするため、使用中の安全性が確保される。また、この基材は、それ自体が硬く、伸びない材料であるため、アルミニウム薄層の平坦性を補い、更には表面層との密着性に優れている。
【００１１】
また、基材がヘアライン加工を施したポリエステルフィルムを含む場合、見かけ上は艶消し作用を有するヘアライン加工が、表面層との接着において、接着面積を大きくすることにより接着強度を向上する作用を果たす。
【００１２】
また、アルミニウム薄層がアルミニウム箔である場合、前述のように複数の樹脂シートを重合してなる基材が、皮膚より硬く、伸びない特性を補うものである。
【図面の簡単な説明】
【００１３】
【図１】（ａ）本考案の人体用貼着シートの一例を示す断面図、（ｂ）その拡大断面図である。
【考案を実施するための形態】
【００１４】
本考案の人体用貼着シートに用いるアルミニウム薄層は、厚みが０．２ｍｍより厚いアルミニウム板か、厚みが０．２ｍｍ〜５μｍのアルミニウム箔を用いるが、複数の樹脂シートを重合してなる基材を用いるので、余分な強度を必要としないため、アルミニウム箔を用いることが好ましい。このアルミニウム薄層に限らず、金属一般に言えることではあるが、熱伝導度が高いため、皮膚にとっては冷たく感じられるものとなる。しかも、金属の中でもアルミニウムは極めて軽量であり、更に平滑度の高いアルミニウム箔が量産されているので、これを用いるのが望ましい。
但し、このアルミニウム薄層だけでは、特に端縁が皮膚に当たってケガ（裂傷）の原因となってしまう。そこで、本考案では、複数の樹脂シートを重合してなる基材の裏面側に、前記アルミニウム薄層を設けることにより、適度な厚みを与えてバッド状とすることができ、使用中の安全性を確保できる。
【００１５】
本考案の人体用貼着シートに用いる基材は、複数の樹脂シートを重合してなり、重合する樹脂シートの種類や厚み、作製方法、重合枚数、及び重合方法等については特に限定するものではない。例えば厚さが１０μｍの樹脂フィルムを５枚接合したものと、厚さが５０μｍの樹脂シートとを比較すると明らかなように、前者の方が硬質で平坦状の重合体となり、後者は前者に比べてコシがなく柔らかいシートとなる。この原因としては、重合体では、樹脂シートをラミネートする際の極めて小さな気泡（マイクロポア）の介在等が考えられる。したがって、この基材は、前記アルミニウム薄層と接合して適度な厚みを与えてパッド状とすることができ、使用中の安全性を確保できる。
【００１６】
しかも、この基材は、複数の樹脂シートを重合してなるため、少なくともアルミニウム薄層のみよりもホログラムを含む表面層との密着性に優れている。即ち前記アルミニウム薄層だけでは、ホログラムを含む表面層と、十分な接着性が得られないが、本考案では、複数の樹脂シートの重合体である基材の表面側にホログラム表面層を形成したので、分離することなく表面層と、基材と、アルミニウム薄層とが一体となった製品とすることができる。
【００１７】
基材の表面側の表面層に関しては、ホログラム及びポリエステルフィルムからなるものであればよく、微細な凹凸で形成されるホログラムが透明なポリエステルフィルムを通して見える構成のものが好ましく、既に様々な態様の市販品（積層品）が市場に提供されているので、それらを適用してもよい。
【実施例１】
【００１８】
図１に示す本考案の一実施例である人体用貼着シート１は、図示するように合計５枚の樹脂シート３１を重合してなる基材３の表面側（図面では上側）に表面層２を形成し、裏面側（図面では下側）にアルミニウム薄層４を形成したものである。
【００１９】
この実施例では、基材３を構成する５枚の樹脂シート３１は、それぞれ厚さ１０μｍのポリエステルフィルムであり、それを熱ラミネートで重合体とした基材３は厚さ５０μｍであるが、種類や厚み、作製方法、重合枚数、及び重合方法については、これに限定するものではなく、どのような構成でもよい。
種類としては、例えばポリエステルフィルムやポリ塩化ビニルフィルム、ポリプロピレンフィルム、ポリエチレンフィルム、ポリウレタンフィルム、ポリアクリルフィルム等のどのような樹脂フィルムを用いてもよい。
厚みとしては、例えば１０〜５０μｍ程度のフィルムであればよく、それぞれに均一な厚みのフィルムを用いる必要もなく、それぞれに異なる厚みのフィルムを用いるようにしてもよい。
作製方法も、公知のどのような手法にて作製されたものでもよい。
重合枚数も、少なくとも２枚以上であればよいが、コストとの兼ね合いを考慮すると、３〜６枚程度が望ましい。
重合方法も、公知のどのような手法にて重合してもよく、熱ラミネートに限定されるものではなく、層間（シート間）に適宜に接着剤（層）を介在させて重合（接着）してもよい。
【００２０】
この実施例では、前記基材３の表面側に形成される表面層２は、厚さ２３μｍの透明ポリエステルフィルムの裏面側に設けたアルミ蒸着層に、レーザ加工にてホログラム模様を形成したものであるが、これに限定されるものではなく、どのような構成でもよい。
【００２１】
この実施例では、前記基材３の裏面側に形成されるアルミニウム薄層４は、Ａ１０５０（純度９９．５％以上）のアルミニウム箔であるが、これに限定されるものではなく、どのようなアルミニウム箔でもアルミニウム板でもよい。
【００２２】
このような構成を有する本考案の人体用貼着シート１は、アルミニウム薄層４を皮膚に接触するように貼着することにより、熱伝導度が高いアルミニウム薄層４が、皮膚にとっては冷たく感じられる。また、アルミニウム薄層４は、平滑性が高く、皮膚より硬く、伸びないため、前述の貼着感が継続的に意識される。更に、アルミニウム薄層４は、衣服や空気との接触を防止するため、皮膚への外的刺激を阻止する。これらの作用の相乗効果により、痛みが緩和されることが確認された。
また、５枚の樹脂シート３１を重合した基材３は、前記アルミニウム薄層４だけでは特に端縁が皮膚に当たってケガの原因となってしまうが、この基材３が適度な厚みを与えてバッド状とするため、皮膚に貼り付けて使用中の安全性が確保された。また、この基材３は、それ自体が硬く、伸びない材料であるため、アルミニウム薄層４の平坦性を補い、更には表面層２との密着性に優れることが確認された。
【符号の説明】
【００２３】
１  人体用貼着シート
２  表面層
３  基材
３１  樹脂シート
４  アルミニウム薄層
【図１】
0003177144.tif 000003